(57)【要約】【課題】目地材を隙間内に安定状態で取り付けることができると共に、接合作業の作業性等を向上させ得る目地材を提供する。【解決手段】複数の壁パネルの接合部に取り付けられる目地材であって、接合される壁パネルの側壁面間の隙間に挿入される芯部と、該深部の一端側に設けられ壁パネルの表面に係合して隙間を表面側から覆う第１ヒレ部と、芯部の第１ヒレ部より内側に設けられ湾曲状態で各側壁面の裏面側コーナ部に弾性を有して当接する第２ヒレ部と、を備えることを特徴とする。前記芯部の先端は、接合部の裏面側に配置された補強金具に当接してその移動が規制される。【選択図】  図２
2008184767.tif 000002
【特許請求の範囲】
【請求項１】
複数の壁パネルの接合部に取り付けられる目地材であって、前記接合される壁パネルの側壁面間の隙間に挿入される芯部と、該芯部の一端側に設けられ壁パネルの表面に係合して前記隙間を表面側から覆う第１ヒレ部と、前記芯部の第１ヒレ部より内側に設けられ湾曲状態で前記各側壁面の裏面側コーナ部に弾性を有して当接する第２ヒレ部と、を備えることを特徴とする目地材。
【請求項２】
前記芯部は、その先端が前記接合部の裏面側に配置された補強金具に当接してその移動が規制されることを特徴とする請求項１に記載の目地材。
【発明の詳細な説明】
【技術分野】
【０００１】
本発明は、システムバスルーム等の浴室の壁面を構成する複数の壁パネルの接合時に使用される目地材に関する。
【背景技術】
【０００２】
従来、浴室の壁パネルを接合する際に使用される目地材（乾式目地材）としては、例えば特許文献１及び特許文献２に開示されている。このうち特許文献１に開示の目地材は、芯部の一端部にカバー部を設けると共に他端部にヒレ部を設け、目地材を２枚の壁パネルの側壁面で形成される隙間に挿入することにより、ヒレ部を両側壁面にそれぞれ圧接させるようにしたものである。また、特許文献２に開示の目地材は、カバー部の裏面側に先端に係止爪を有する一対の係止突条を突出して設けると共に壁パネルの接合部に補強金具を配置し、目地材を壁パネル間の隙間に挿入した際に、係止爪を補強金具の被係止部に係止させるようにしたものである。
【特許文献１】特開２００４−２２５２６３号公報
【特許文献２】特開平８−２６０７３０号公報
【発明の開示】
【発明が解決しようとする課題】
【０００３】
しかしながら、特許文献１に示す目地材においては、一対のヒレ部が壁パネルの側壁面に単に圧接される構造であるため、壁パネル間の隙間が何らかの原因で広くなった場合に、ヒレ部と側壁面との圧接力が弱くなって目地材が脱落する虞があり安定した取付状態を得ることが困難であると共に、脱落防止のために壁パネル間に所定の隙間精度が要求される等、接合作業自体が面倒になり易い。また、特許文献２の目地材にあっては、目地材の弾性を有する係止爪が補強金具の被係止部に係止される構造であるため、目地材に力が作用して係止爪と被係止爪の係止状態が外れた場合に、目地材が隙間から脱落する虞がある等、特許文献１に記載の目地材と同様に安定した取付状態を得ることが難しい。
【０００４】
本発明は、このような事情に鑑みてなされたもので、その目的は、目地材を隙間内に安定状態で取り付けることができると共に、接合作業の作業性等を向上させ得る目地材を提供することにある。
【課題を解決するための手段】
【０００５】
かかる目的を達成すべく、本発明のうち請求項１に記載の発明は、複数の壁パネルの接合部に取り付けられる目地材であって、前記接合される壁パネルの側壁面間の隙間に挿入される芯部と、該芯部の一端側に設けられ壁パネルの表面に係合して前記隙間を表面側から覆う第１ヒレ部と、前記芯部の第１ヒレ部より内側に設けられ湾曲状態で前記各側壁面の裏面側コーナ部に弾性を有して当接する第２ヒレ部と、を備えることを特徴とする。
【０００６】
また、請求項２に記載の発明は、前記芯部の先端が前記接合部の裏目側に配置された補強金具に当接してその移動が規制されることを特徴とする。
【発明の効果】
【０００７】
本発明のうち請求項１に記載の発明によれば、目地材が芯部と第１ヒレ部及び第２ヒレ部とを備えるため、内側に湾曲状態の第２ヒレ部が各側壁面の裏面側コーナ部に弾性を有して当接して目地材の隙間からの脱落が防止され、目地材を隙間内に安定状態で取り付けることができると共に、弾性を有する第２ヒレ部が隙間の変化にも良好に追従して隙間精度が要求されない等、接合作業の作業性を向上させることができる。
【０００８】
また、請求項２に記載の発明によれば、請求項１に記載の発明の効果に加え、芯部の先端が接合部の裏目側に配置された補強金具に当接するため、芯部の隙間内での前後方向の移動が規制されて、目地材を隙間内の所定位置に安定維持することができる。
【発明を実施するための最良の形態】
【０００９】
以下、本発明の実施の形態を図面に基づいて詳細に説明する。
図１〜図６は、本発明に係わる目地材を使用した浴室の壁面の一実施形態を示し、図１がその横断面図、図２が図１のＡ部の拡大図、図３が目地材の斜視図、図４がその動作説明図、図５が図１のＢ部の拡大図、図６がその目地材の平面図である。
【００１０】
図１に示すように、浴室の壁面１は、躯体２の内側に配置された複数の壁パネルの接合によって構成され、１つの壁面１を構成する平継ぎされる２枚の壁パネル１ａ、１ｂは、目地材３と補強金具４によって接合されている。この目地材３は、図２及び図３に示すように、所定長さの芯部３ａと、この芯部３ａの一端側に形成された第１ヒレ部３ｂと、この第１ヒレ部３ｂより所定寸法内側に形成された第２ヒレ部３ｃと、第１ヒレ部３ｂと第２ヒレ部３ｃとの間に形成された圧接部としての第３ヒレ部３ｄ等を有している。
【００１１】
この時、第１ヒレ部３ｂ〜第３ヒレ部３ｄは、長尺状の芯部３ａの板厚方向の両側にそれぞれ突出状態で一体形成されると共に、図２の二点鎖線で示すように、ハッチングで示す第１ヒレ部３ｂ〜第３ヒレ部３ｄが軟質樹脂で、その他の芯部３ａが硬質樹脂の二色成形によって形成されている。また、第２ヒレ部３ｃは、成形時において例えばその先端が内側に湾曲状態とされ、第３ヒレ部３ｄは芯部３ａの側面に対し所定角度を有して直線状に突出形成されている。さらに、芯部３ａから突出する第１ヒレ部３ｂ〜第３ヒレ部３ｄの先端部（もしくは湾曲頂部）間の寸法は、接合する壁パネル１ａ、１ｂの側壁面５ａ、５ｂで形成される隙間６の寸法ｗ１（図４参照）より所定寸法大きくなるように設定されると共に、芯部３ａの長さは、図２に示すように、隙間６への取付状態において、その先端が補強金具４の壁面４ａに当接するように設定されている。
【００１２】
このように構成された目地材３は、２枚の壁パネル１ａ、１ｂを図示しない防水パンの外周縁上に裏面側に補強金具４を介して載置し、各壁パネル１ａ、１ｂの側壁面５ａ、５ｂで形成される隙間６に浴室内側から図２の矢印イの如く挿入される。隙間６に挿入された目地材３は、軟質樹脂で形成された第２ヒレ部３ｃと第３ヒレ部３ｄがその弾性により芯部３ａ方向に変形しつつ隙間６内に挿入され、芯部３ａの先端が補強金具４の壁面４ａに当接した位置で停止する。
【００１３】
この停止位置において、一対の第１ヒレ部３ｂが各壁パネル１ａ、１ｂの表面側（浴室内側）に当接して隙間６を覆うと共に、第３ヒレ部３ｄが隙間６内に位置して壁パネル１ａ、１ｂの各側壁面５ａ、５ｂに変形状態で圧接する。また、停止位置において、第２ヒレ部３ｃは、その先端部が隙間６内に位置すると共にその湾曲頂部８と基端部が補強金具４内に位置して、内側に空間７を有する湾曲状態とされる。
【００１４】
そして、図２及び図４に示すように、第２ヒレ部３ｃの湾曲頂部８が壁パネル１ａ、１ｂの側壁面５ａ、５ｂの裏面側（補強金具４側）のコーナ部９（角部）に当接し、この時、湾曲部が内側に空間７を有すると共に、図４に示すように、湾曲頂部８間の寸法ｗ２が隙間６の前記寸法ｗ１より大きく設定されて、湾曲頂部８がコーナ部９に裏面側から所定圧で当接（すなわち係止）した状態となる。これにより、湾曲部（第２ヒレ部３ｃ）に自身の弾性力や空間７の弾性力によるクッション作用が得られ、目地材３の隙間６からの図４の矢印ロ方向への抜けが防止されることになる。
【００１５】
一方、図１に示す浴室の隣接する壁面１のコーナ部の２枚の壁パネル１ｂ、１ｃは、目地材１０と補強金具１１によって接合されている。この時、目地材１０は、図５及び図６に示すように、前記芯部３ａより短い長さの芯部１０ａと、この芯部１０ａの一端側に形成された第１ヒレ部１０ｂと、この第１ヒレ部１０ｂより内側で芯部１０ａの他端側に形成された第２ヒレ部１０ｃと、第１ヒレ部１０ｂと第２ヒレ部１０ｃとの間に形成された圧接部として膨出部１０ｄ等を有している。
【００１６】
この時、第１ヒレ部１０ｂと第２ヒレ部１０ｃは、長尺状の芯部１０ａの板厚方向の両側にそれぞれ突出状態で一体形成されると共に、図６に示すように、ハッチングで示す第１ヒレ部１０ｂと第２ヒレ部１０ｃ及び膨出部１０ｄが軟質樹脂で、その他の芯部１０ａが硬質樹脂の二色成形によって形成されている。また、第２ヒレ部１０ｃは芯部１０ａの側面に対して所定角度を有して直線状に突出形成されると共に、内側に湾曲できるように形成され、また、膨出部１０ｄの膨出頂部１５間の寸法ｗ３は、壁パネル１ｂ、１ｃの側壁面５ｂ、５ｃの浴室側端部間で形成される隙間１２の寸法ｗ１（図５参照）より所定寸法大きくなるように設定されている。
【００１７】
そして、このように構成された目地材１０は、前記目地材３と同様に、壁パネル１ｂ、１ｃの側壁面５ｂ、５ｃ前端で形成される隙間１２に浴室内側から挿入されて、図５に示すように、軟質樹脂で形成された第１ヒレ部１０ｂが外側に変形して壁パネル１ｂ、１ｃの表面に当接して隙間１２を覆うと共に、第２ヒレ部１０ｃと膨出部１０ｄが変形しつつ隙間１２を通過して隙間１２後方の空間１３（補強金具１１）内に位置する。この時、第２ヒレ部１０ｃは、隙間１２で内側に湾曲状態で変形されつつ挿入され、第１ヒレ部１０ｂが壁パネル１ｂ、１ｃの表面に当接した位置で、内側に空間７を有して湾曲状態を維持したまま、その湾曲先端部１４が各壁パネル１ｂ、１ｃの側壁面５ｂ、５ｃのコーナ部１６にそれぞれ当接する。
【００１８】
また、膨出部１０ｄは、隙間１２を通過した際にその弾性により元の形状に復帰して、その膨出頂部１５が隙間１２の後方側に位置した状態となる。これにより、膨出頂部１５と第２ヒレ部１０ｃの湾曲先端部１４が前記コーナ部１６に当接（すなわち係止）して、膨出部１０ｄや第２ヒレ部１０ｃの弾性力によるクッション作用により、目地材１０の隙間１２からの図５の矢印ハ方向への抜けが防止されることになる。
【００１９】
つまり、前記目地材３の場合は、第３ヒレ部１０ｄが隙間６の側壁面５ａ、５ｂに圧接すると共に、第２ヒレ部１０ｃの湾曲頂部８が隙間６の裏面側コーナ部９に弾性を有して当接し、また、前記目地材１０の場合は、膨出頂部１５と第２ヒレ部１０ｃの湾曲先端部１６が隙間１２の裏面側コーナ部１６に弾性を有して当接し、各目地材３、１２が隙間６、１２内の所定位置に保持されることになる。
【００２０】
このように、上記実施形態の壁パネルの接合にあっては、目地材３、１０が芯部３ａ、１０ａと第１ヒレ部３ｂ、１０ｂ及び第２ヒレ部３ｃ、１０ｃを備えるため、内側に湾曲状態の第２ヒレ部３ｃ、１０ｃが各側壁面５ａ〜５ｃの裏面側のコーナ部９、１６に弾性を有してそれぞれ当接して、第２ヒレ部３ｃ、１０ｃの弾性力により目地材３、６の隙間６、１２からの抜け（脱落）を防止することができる。特に、目地材３、１０の第２ヒレ部３ｃ、１０ｃの湾曲部の形状を所定に設定すると共に、内側に空間７を有して湾曲状態で弾性を有していることから、例えば地震による浴室の振動等により壁パネル１ａ〜１ｃ間の隙間が広がったとしても、この広がりに第２ヒレ部３ｃ、１０ｃが追従して当接状態を良好に維持することができる。
【００２１】
また、目地材３、１０の第１ヒレ部３ｂ、１０ｂと第２ヒレ部３ｃ、１０ｃとの間に第３ヒレ部３ｄや膨出部１０ｄからなる圧接部が形成されているため、この圧接部を壁パネル１ａ〜１ｃの各側壁面５ａ〜５ｃ等に圧接できて、目地材３、１０の隙間６、１２からの脱落を一層確実に防止することができる。さらに、平継ぎ用の目地材３の場合に、芯部３ａの先端が接合部の裏面側に配置された補強金具４に当接するため、芯部３ａの隙間６内での前後方向の移動を規制することができる。これらにより、目地材３、１０が隙間６、１２から脱落したり隙間６、１２内でずれたりすることがなくなり、目地材３、１０を隙間６、１２に長期に亘り安定した状態で取り付けることができる。
【００２２】
また、目地材３、１０に軟質樹脂からなる第１ヒレ部３ｂ、１０ｂが形成されているため、この第１ヒレ部３ｂ、１０ｂを接合する壁パネル１ａ〜１ｃの表面に密着状態で当接させることができて、目地材３、１０によって止水性を高めることができ、前述した安定状態の取り付けと合わせ、止水性や意匠性が要求される浴室の壁面１の壁パネル１ａ〜１ｃの接合に好適に使用することが可能となる。
【００２３】
また、目地材３、１０の第２ヒレ部３ｂ、１０ｂが弾性を有して湾曲状態で取り付けられるため、例えば壁パネル１ａ〜１ｃの接合時に壁パネル１ａ〜１ｃ間の隙間寸法ｗ１に従来のような精度が要求されず、接合作業自体を容易に行うことができて、設置の効率化を図ることができる。また、目地材３、１０の第１ヒレ部３ｂ、１０ｂ、第２ヒレ部３ｃ、１０ｃ及び第３ヒレ部３ｄや膨出部１０ｄを軟質樹脂でまた芯部３ａ、１０ａを硬質樹脂により二色成形できるため、目地材３、１０自体を安価に形成することができると共に、従来の目地材と略同様の作業で取り付けることができる等、接合コストを低減させることが可能になる。
【００２４】
なお、上記実施形態においては、目地材３の第２ヒレ部３ｃを成形時に湾曲状態としたが、例えば目地材１０と同様に成形時には直線状にして隙間６への挿入後に湾曲できる構成としても良い。また、目地材３、１０に圧接部としての第３ヒレ部３ｄと膨出部１０ｄを設けたが、例えば目地材３に膨出部を設け目地材１０にヒレ部を設ける構成としても良いし、目地材１０の芯部１０ａを補強金具１１の当接する長さとする等、各目地材３、４の構成を適宜に組み合わせることもできる。また、壁パネル１ａ〜１ｃの接合も補強金具４、１１を使用した接合に限らず、他の適宜の接合構造を採用できるし、各壁パネル１ａ〜１ｃの端部構造あるいはコーナ部９、１６の形状等も一例であって、例えばコーナ部９、１６の形状としてピン角形状やアール形状等を採用することができる。
【産業上の利用可能性】
【００２５】
本発明は、システムバスルーム等の浴室に壁面を構成する壁パネル接合用の目地材に限らず、例えばサウナルームや洗面室等の水廻り空間の壁パネルの接合等、各種のパネル接合用の目地材としても利用できる。
【図面の簡単な説明】
【００２６】
【図１】本発明に係わる目地材を使用した浴室の壁面の一実施形態を示す横断面図
【図２】同図１のＡ部の拡大図
【図３】同その目地材の斜視図
【図４】同その動作説明図
【図５】同図１のＢ部の拡大図
【図６】同その目地材の断面図
【符号の説明】
【００２７】
１・・・壁面、１ａ〜１ｃ・・・壁パネル、２・・・躯体、３・・・目地材、３ａ・・・芯部、３ｂ・・・第１ヒレ部、３ｃ・・・第２ヒレ部、３ｄ・・・第３ヒレ部（圧接部）、４・・・補強金具、４ａ・・・壁面、５ａ〜５ｃ・・・側壁面、６・・・隙間、７・・・内部空間、８・・・湾曲頂部、９・・・コーナ部、１０・・・目地材、１０ａ・・・芯部、１０ｂ・・・第１ヒレ部、１０ｃ・・・第２ヒレ部、１０ｄ・・・膨出部（圧接部）、１１・・・補強金具、１２・・・隙間、１３・・・空間、１４・・・湾曲先端部、１５・・・膨出頂部、１６・・・コーナ部。
【図１】
2008184767.tif 000003
【図２】
2008184767.tif 000004
【図３】
2008184767.tif 000005
【図４】
2008184767.tif 000006
【図５】
2008184767.tif 000007
【図６】
2008184767.tif 000008